(57)【要約】【課題】    水素生成装置の小型化を図ることである。特に、例えば燃料電池とした場合に、それなりの出力が確保され、かつ、小型化が図れる水素生成装置を提供することである。【解決手段】      水素生成装置Ａであって、  水素生成原料を案内する筒状体と、  前記筒状体の内側に配設された光・熱素子６と、  前記筒状体に配設された水素生成用触媒とを備えてなり、  前記筒状体は、    内側に空洞部が設けられたハニカム構造体２であり、    前記ハニカム構造体２における最初の案内路４1を案内されて来て該案内路４1の端部に到達した水素生成原料は同周の隣接する案内路４2の側に流れ込み、この案内路４2を前記案内路４1における案内方向とは逆方向に案内されて端部に到達した水素生成原料は同周の次の隣接する案内路４3の側に流れ込み、そして同周に在る案内路４3を前記と同様に順に流れて行った後、その内側に在る案内路５nの側に流れ込み、そして前記と同様にして案内路を案内されて行くよう構成されてなる。【選択図】    図１
2006219334.tif 000002
【特許請求の範囲】
【請求項１】
水素生成装置であって、
水素生成原料を案内する筒状体と、
前記筒状体の内側に配設された光・熱素子と、
前記筒状体に配設された水素生成用触媒
とを備えてなり、
前記筒状体は、
前記水素生成原料が該筒状体の外側から前記光・熱素子側の内側に案内されて行くに際して、該水素生成原料は、該筒状体の一端側から他端側に、該他端側から該筒状体の一端側にと言った如く蛇行案内されると共に、該筒状体の周壁方向にも案内されるよう構成されてなる
ことを特徴とする水素生成装置。
【請求項２】
筒状体は、
外壁と、該外壁に沿って該外壁の内側に設けられた内壁と、該外壁と該内壁との間に設けられた中間壁とを具備し、該外壁と該内壁と該中間壁とにより、該筒状体の方向に沿った複数の水素生成原料の案内路が構成されてなり、
前記案内路を案内されて来て該案内路の端部に到達した水素生成原料は隣接する案内路の側に流れ込むことが出来るよう構成されてなる
ことを特徴とする請求項１の水素生成装置。
【請求項３】
筒状体は、
内側に空洞部が設けられたハニカム構造体であり、
前記ハニカム構造体における一つの案内路を案内されて来て該案内路の端部に到達した水素生成原料は隣接する案内路の側に流れ込むことが出来るよう構成されてなる
ことを特徴とする請求項１又は請求項２の水素生成装置。
【請求項４】
筒状体は、
内側に空洞部が設けられたハニカム構造体であり、
前記ハニカム構造体における最初の案内路を案内されて来て該案内路の端部に到達した水素生成原料は同周の隣接する案内路の側に流れ込み、この案内路を前記案内路における案内方向とは逆方向に案内されて端部に到達した水素生成原料は同周の次の隣接する案内路の側に流れ込み、そして同周に在る案内路を前記と同様に順に流れて行った後、その内側に在る案内路の側に流れ込み、そして前記と同様にして案内路を案内されて行くよう構成されてなる
ことを特徴とする請求項１〜請求項３いずれかの水素生成装置。
【請求項５】
筒状体はセラミックス及び金属の群の中から選ばれる一種又は二種以上の素材で構成されたものであることを特徴とする請求項１〜請求項４いずれかの水素生成装置。
【請求項６】
光・熱素子がハロゲンヒータであることを特徴とする請求項１〜請求項５いずれかの水素生成装置。
【請求項７】
筒状体に水素生成原料を案内する前段階において水素生成原料を案内する略渦巻状の案内路を具備してなり、
前記略渦巻状の案内路が前記筒状体の一端側に配設されてなる
ことを特徴とする請求項１〜請求項６いずれかの水素生成装置。
【発明の詳細な説明】
【技術分野】
【０００１】
本発明は、例えばアルコール水溶液から水素を生成する水素生成装置に関する。
【背景技術】
【０００２】
水素は、工業的利用や燃料としての利用等において、極めて重要な物質である。工業的利用の分野では、アンモニア製造、原油精製、メタノール製造等に用いられる。燃料利用の分野では、水素の燃焼による各種熱源、内燃機関（水素エンジン）、燃料電池による発電（大規模電源、分散型電源、燃料電池自動車等）に用いられる。
【０００３】
現在、水素の工業的製造法としては、天然ガス、石油、石炭等の化石燃料（炭化水素）と水蒸気との反応（水蒸気改質反応）により製造している。これら水蒸気改質反応により製造されるガスは改質ガスと呼ばれる。これら改質ガス中には、水素、二酸化炭素、一酸化炭素、水蒸気、および未反応の炭化水素が含まれる。
【０００４】
一酸化炭素と水蒸気とを含むガスは水性ガスと呼ばれる。各種改質ガスに含まれる一酸化炭素と水蒸気とを反応（水性ガスシフト反応）させて更に水素を製造することは、用途に乏しい一酸化炭素から高い価値がある水素に変化できるので、工業的に極めて重要な化学プロセスである。
【０００５】
又、メタノールと水（水蒸気）との反応（メタノール水蒸気改質反応）により、液体であるメタノールから水素が製造される。この技術も、工業的および燃料供給の点から極めて重要な反応である。これは、水素が気体である為、輸送や貯蔵が困難であるのに対して、メタノールは液体であり、輸送や貯蔵が比較的容易であるからによる。更に、メタノールからの水素製造法では、他の製造法と比較して、より高純度の水素を製造できる。従って、直接、高純度水素を高圧ボンベ等で運搬することなく、メタノールで輸送、貯蔵し、必要とする場所で、水蒸気改質反応により、水素に変換し、高純度水素を供給することができる。
【０００６】
メタノールからの燃料用水素の製造は次の利点がある。
【０００７】
ガソリンエンジン自動車、ディーゼルエンジン自動車は、各々、ガソリン、軽油を燃料として走行している。この為、排気ガス中には各種の汚染物質が多く含まれているのに対して、水素は、ガソリンや軽油といった石油由来の燃料よりも、クリーン（窒素酸化物や粒状物質により大気を汚すことがない）、かつ、グリーン（二酸化炭素や亜酸化窒素等の地球温暖化原因物質を排出しない）である点から、次世代の燃料とされている。
【０００８】
しかしながら、現状では、水素燃焼エンジン自動車、水素燃料電池自動車を普及させることは、極めて困難である。その理由は、気体である水素を自動車に搭載することが極めて困難なことによる。
【０００９】
さて、メタノールは、他の液体燃料（ガソリン、軽油等）と比較して上記の改質反応により容易に水素を製造できると言う特長を持っている。従って、メタノール燃料タンク、メタノール改質装置が自動車に搭載される可能性は高いと言える。
【００１０】
上述の如く、水性ガスシフト反応やメタノール改質反応は、極めて重要な反応であり、この反応を高効率に行う為の研究が盛んに行なわれ、各種の技術が提案されている。
【００１１】
例えば、上記反応を効率的に行わしめる為の触媒が提案（特開２００２−７９１００、特開２００２−７９１０１、特開２００３−１８３００２、特開２００３−２６５９６１、特開２００３−３２０２５４）されている。
【００１２】
さて、上記の如く、改質反応を効率的に行わせる触媒についての研究の進捗は目を見張るばかりであるものの、例えば燃料電池として水素を用いる場合において、重要な事は、水素製造装置（水素生成装置）を如何に小型化するかと言うことも極めて重要な事柄である。
【００１３】
すなわち、例えば家庭用燃料電池であれば比較的大型化も許容されるであろうが、これが自動車などの輸送機器、その他携帯化が要望される分野の製品に用いられる場合には、実用化する為には、小型化が必須の要件であると言っても過言では無い。
【００１４】
さて、この小型化の研究についての進捗は未だのようである。
【００１５】
例えば、大阪ガス株式会社の提案（ｈｔｔｐ：／／ｗｗｗ．ｏｓａｋａｇａｓ．ｃｏ．ｊｐ／ｐｒｅｓｓ／ｐｒ００／００１０２５．ｈｔｍ）になる水素製造装置（水素生成装置）は、外形寸法が３５０ｍｍ×２８０ｍｍ×３７０ｍｍである。
【００１６】
又、三菱電機株式会社の提案（ｈｔｔｐ：／／ｗｗｗ．ｍｉｔｓｕｂｉｓｈｉｅｌｅｃｔｒｉｃ．ｃｏ．ｊｐ／ｏｌｄｎｅｗｓ／１９９７／０９１１−ｂ．ｈｔｍ）になる水素製造装置（水素生成装置）は、外形寸法が２９０ｍｍ×２９０ｍｍ×２６０ｍｍである。
【００１７】
又、化学装置（２００４年１０月号：ｐｐ７７〜８１）の提案になる水素製造装置（水素生成装置）は、直径が６４０ｍｍで、高さが１０００ｍｍである。
【特許文献１】特開２００２−７９１００
【特許文献２】特開２００２−７９１０１
【特許文献３】特開２００３−１８３００２
【特許文献４】特開２００３−２６５９６１
【特許文献５】特開２００３−３２０２５４
【非特許文献１】ｈｔｔｐ：／／ｗｗｗ．ｏｓａｋａｇａｓ．ｃｏ．ｊｐ／ｐｒｅｓｓ／ｐｒ００／００１０２５．ｈｔｍ
【非特許文献２】ｈｔｔｐ：／／ｗｗｗ．ｍｉｔｓｕｂｉｓｈｉｅｌｅｃｔｒｉｃ．ｃｏ．ｊｐ／ｏｌｄｎｅｗｓ／１９９７／０９１１−ｂ．ｈｔｍ
【非特許文献３】松下電工技報（Ｍａｒ．２００２）ｐｐ４−８
【非特許文献４】化学装置（２００４年１０月号：ｐｐ７７〜８１）
【発明の開示】
【発明が解決しようとする課題】
【００１８】
従って、本発明が解決しようとする課題は、水素生成装置の小型化を図ることである。特に、例えば燃料電池とした場合に、それなりの出力が確保され、かつ、小型化が図れる水素生成装置を提供することである。
【課題を解決するための手段】
【００１９】
前記の課題は、水素生成装置であって、
水素生成原料を案内する筒状体と、
前記筒状体の内側に配設された光・熱素子と、
前記筒状体に配設された水素生成用触媒
とを備えてなり、
前記筒状体は、
前記水素生成原料が該筒状体の外側から前記光・熱素子側の内側に案内されて行くに際して、該水素生成原料は、該筒状体の一端側から他端側に、該他端側から該筒状体の一端側にと言ったように蛇行案内されると共に、該筒状体の周壁方向にも案内されるよう構成されてなる
ことを特徴とする水素生成装置によって解決される。
【００２０】
特に、上記の筒状体は、
外壁と、該外壁に沿って該外壁の内側に設けられた内壁と、該外壁と該内壁との間に設けられた中間壁とを具備し、該外壁と該内壁と該中間壁とにより、該筒状体の方向に沿った複数の水素生成原料の案内路が構成されてなり、
前記案内路を案内されて来て該案内路の端部に到達した水素生成原料は隣接する案内路の側に流れ込むことが出来るよう構成されてなる
ことを特徴とする上記の水素生成装置によって解決される。
【００２１】
更には、上記筒状体は、
内側に空洞部が設けられたハニカム構造体であり、
前記ハニカム構造体における一つの案内路を案内されて来て該案内路の端部に到達した水素生成原料は隣接する案内路の側に流れ込むことが出来るよう構成されてなる
ことを特徴とする上記の水素生成装置によって解決される。
【００２２】
中でも、上記筒状体は、
内側に空洞部が設けられたハニカム構造体であり、
前記ハニカム構造体における最初の案内路を案内されて来て該案内路の端部に到達した水素生成原料は同周の隣接する案内路の側に流れ込み、この案内路を前記案内路における案内方向とは逆方向に案内されて端部に到達した水素生成原料は同周の次の隣接する案内路の側に流れ込み、そして同周に在る案内路を前記と同様に順に流れて行った後、その内側に在る案内路の側に流れ込み、そして前記と同様にして案内路を案内されて行くよう構成されてなる
ことを特徴とする上記の水素生成装置によって解決される。
【００２３】
上記の水素生成装置における筒状体は、例えばセラミックスや、例えばＰｄ，Ｚｒ36Ｎｉ64等のアモルファス金属と言った金属の群の中から選ばれる一種又は二種以上の素材で構成される。特に、セラミックスによって構成される。
【００２４】
上記の水素生成装置における光・熱素子は、特に、ハロゲンヒータが用いられる。すなわち、ハロゲンヒータを用いることによって、例えば１８０〜３００℃の温度が短時間の中に効率よく得られる。
【００２５】
又、本発明の水素生成装置にあっては、筒状体に水素生成原料を案内する前段階において水素生成原料を案内する略渦巻状の案内路を更に具備し、
前記略渦巻状の案内路が前記筒状体の一端側に配設されてなるものが好ましい。
【発明の効果】
【００２６】
本発明にあっては、例えば２６ｍｍ×２６ｍｍ×５０ｍｍ程度の大きさにまで小型化できた。すなわち、小型化が非常に達成された。
【００２７】
例えば、熱源としてのハロゲンヒータを用いた場合、即ち、メタノール水溶液を蒸気化する為の熱源としてハロゲンヒータを採用することによって、装置の小型化が可能になる。
【００２８】
しかしながら、ハロゲンヒータを採用した場合、ハロゲンヒータにはガラスが用いられているから、水溶液がハロゲンヒータに掛かると、ガラス部分が破損し、ハロゲンヒータ自体が損傷することになり、水素生成装置の耐久性に問題を引き起こす。
【００２９】
従って、従来にあっては、熱源としてハロゲンヒータの如きの光素子が鑑みられることは無かった。
【００３０】
ところで、ハロゲンヒータは小型であるにも拘わらず、最近における暖房器具としての盛んな使用からも判る通り、その放熱量は著しい。
【００３１】
従って、今まで鑑みられることは無かったものの、ハロゲンヒータの採用は非常に魅力的であり、それでは、如何にして水溶液を完全に蒸気化するかの問題を解決すれば良いことになる。すなわち、水溶液を蒸気化する蒸気化過程を小型化すれば良いことになる。
【００３２】
ところで、水素生成原料を案内する案内路を蛇行形態、しかも、単に、蛇行と言うだけでは無く、筒状体の周壁方向にも沿って動くように蛇行させる形態のものとすれば、入口からハロゲンヒータに至るまでの経路長を非常に長いものと出来る。しかも、その経路長が長いにも拘わらず、非常に、コンパクトなものとなる。すなわち、非常に小型にして、かつ、目的地（ハロゲンヒータ）に到達するまでには、水溶液を完全に蒸気化させることが出来る。
【００３３】
そして、小型であるにも拘わらず、本発明によれば、ハロゲンヒータに至るまでには、長い経路が確保されているから、その間に十分なる蒸気化は達成され、ハロゲンヒータを損傷させることが無い。
【００３４】
すなわち、耐久性に富み、かつ、小型化が達成された水素生成装置が得られる。
【発明を実施するための最良の形態】
【００３５】
図１〜図５は、本発明になる水素生成装置の一実施形態を示すものである。
【００３６】
各図中、１は、水素生成装置Ａのハウジングである。このハウジング１は、中央の略円筒状部１ａと、上端の上略ドーム状部１ｂと、下端の下略ドーム状部１ｃとからなる。尚、この略円筒状部１ａは、直径が２６ｍｍ程度、高さが５５ｍｍ程度の大きさである。
【００３７】
２は、例えばゼオライト等のセラミックスから構成されたハニカム体である。このハニカム体２は、略円筒状部１ａ内壁に接する如くの大きさで、略円筒状部１ａ内に配設されている。ハニカム体２は、略円筒形状であり、即ち、その内側は直径が１０ｍｍ程度の略円筒状の空洞に刳り貫かれたものであって、空洞部３が構成されている。従って、ハニカム体２は、図２に示される如く、外壁２ａと、外壁２ａに沿って略平行にして最も内側に設けられた最内壁２ｂと、外壁２ａと最内壁２ｂとの間に外壁２ａや最内壁２ｂに平行に設けられた中間内壁２ｃと、外壁２ａと中間内壁２ｃと最内壁２ｂとで構成される断面がドーナツ状の通路を細かくハニカム状に仕切る仕切壁２ｄとを具備する構造のものとなっている。そして、外壁２ａと仕切壁２ｄと中間内壁２ｃとによって、微細な径の孔４1，４2，……，４n，……，４2nが、恰も、同心円状の位置において周方向に沿って存在すると共に、前記孔４1，４2，……，４n，……，４2nの内側の位置において、中間内壁２ｃと仕切壁２ｄと最内壁２ｂとによって、微細な径の孔５1，５2，……，５n，……，５2nが、恰も、同心円状の位置において周方向に沿って存在するように構成されている。尚、これ等の孔の孔方向は筒方向である。
【００３８】
尚、本実施形態では、簡略化の為に、半径方向にあっては、二つの孔を有する場合で説明するが、これは三つ以上有っても良いことは勿論である。例えば、孔５1，５2，……，５n，……，５2nの内側に、孔ｋ1，ｋ2，……，ｋn，……，ｋ2nが有ることは妨げられない。
【００３９】
外壁２ａと中間内壁２ｃと最内壁２ｂと仕切壁２ｄとが、その長さが全て同じであると、孔４1，４2，……，４n，……，４2n，５1，５2，……，５n，……，５2nは全てが等価的なものとなり、例えば孔４1を流れて来た液体は隣の孔４2に移ることが出来ない。
【００４０】
そこで、例えば孔４kを上側から下側向けて流れて来た液体は、孔４kの下端部において、同周で隣接位置の孔４k+1に流れ込むことが出来るように、図３に示される如く、該当する仕切壁２ｄの下端部が一部切り欠かれている。又、孔４k+1を下側から上側向けて流れて来た液体は、孔４k+1の上端部において、同周で次の隣接位置の孔４k+2に流れ込むことが出来るように、図４に示される如く、該当する仕切壁２ｄの上端部が一部切り欠かれている。すなわち、液体は、例えば孔４1上部→孔４1下部→孔４2下部→孔４2上部→孔４3上部→孔４3下部→孔４4下部→孔４4上部→孔４5上部→孔４5下部→孔４6下部→……→孔４nの経路を蛇行する如く通って流れて行くように該当する仕切壁２ｄの端部が切り欠かれているのである。又、例えば孔４2n上部→孔４2n下部→孔４2n-1下部→孔４2n-1上部→孔４2n-2上部→孔４2n-2下部→孔４2n-3下部→孔４2n-3上部→孔４2n-4上部→孔４2n-4下部→孔４2n-5下部→……→孔４n+2の経路を蛇行する如く通って流れて行くように該当する仕切壁２ｄの端部が切り欠かれているのである。
【００４１】
さて、孔４1の上側から流れ込んで来た液体は、順に、孔４2，４3，……，４nと蛇行しながら、例えば右回りに流れて行く。又、孔４2nの上側から流れ込んで来た液体は、順に、孔４2n-1，４2n-2，……，４n+2と蛇行しながら、例えば左回りに流れて行く。ところで、孔４n，孔４n+2を流れて来た液体は、同周の隣接位置に在る孔には流れ込むことが出来ないから、次には、その内側に位置する孔に流れ込むことが出来るようにする為、該当する位置の中間内壁２ｃの端部が、図５に示される如く、切り欠かれている。
【００４２】
すなわち、孔４nに流れ込んで来た液体は、孔４nを他端側に流れて行き、そして流れ込んで来た端部とは反対側の端部に到達すると、その内側に位置する孔５nに流れ込んで行くように構成されている。この後は、上記の場合とは反対の左回りに蛇行しながら上記と同様に孔５nから孔５n-1に、次に孔５n-1から孔５n-2に、……、そして孔５1に流れて行くことが出来るように該当する仕切壁２ｄの端部が切り欠かれている。又、孔４n+2に流れ込んで来た液体は、孔４n+2を流れて行き、そして流れ込んで来た端部とは反対側の端部に到達すると、その内側に位置する孔５n+2に流れ込んで行くように構成されている。この後は、上記の場合とは反対の右回りに蛇行しながら上記と同様に孔５n+2から孔５n+3に、次に孔５n+3から孔５n+4に、……、そして孔５2n-1に流れて行くことが出来るように該当する仕切壁２ｄの端部が切り欠かれている。
【００４３】
尚、ハニカム体２はセラミックス製である。従って、液体はハニカム体２の壁面を通り抜けることが出来ないものの、気体（ガス）はハニカム体２の壁面２ｂ，２ｃ，２ｄを通り抜けることが出来るようになっている。
【００４４】
６は、空洞部３に配設された長さが２２ｍｍ程度で直径が９ｍｍ程度の赤外線ハロゲンヒータである。そして、上記ハニカム体２が１９０〜２５０℃程度に加熱される。ここで、ハロゲンヒータとは、例えばガラス管内に、窒素やアルゴン等の不活性ガスと共に微量のハロゲン物質（沃素、臭素、塩素、フッ素）が封入された白熱電球である。この為、同一消費電力の一般電球と比べた場合、その体積は１／２００と言った如くの小型なものとなる。そして、一般電球に比べて長寿命である。又、寿命を同じにすると、その分だけフィラメント温度を高めて効率を上げることが出来る。又、一定した光出力のものが得られる。更には、電源オン後、短時間で高い温度のものとなる。
【００４５】
７はハニカム体２の上側に設けられた天板、８はハニカム体２の下側に設けられた地板である。そして、天板７とハニカム体２（外壁２ａ）と地板８とで囲まれる空間は閉鎖空間であり、所定位置に設けられた出入口以外から流体は漏れ出ることが無いように構成されている。
【００４６】
尚、天板７の内面（下面）側や地板８の内面（上面）側に液体案内用の溝を形成しておけば、即ち、仕切壁２ｄや中間内壁２ｃに跨るように凹状溝を形成しておけば、前記した仕切壁２ｄや中間内壁２ｃの端部を切り欠くようにしなくても済む。すなわち、ハニカム体２の壁の長さが全て同じでも、天板７や地板８に形成した液体案内用の凹溝を介して隣の孔に液体が移行できるようにしても差し支えない。
【００４７】
９は渦巻状に巻かれた樹脂製のチューブであり、渦巻状チューブ９は天板７上に配置されている。そして、渦巻状チューブ９の一端側はメタノール水溶液（メタノール：水＝１：１。水素生成原料）のタンク（図示せず）に接続されており、渦巻状チューブ９の他端側は孔４1，４2nの上端部に接続されている。従って、タンクからのメタノール水溶液は、渦巻状チューブ９を経て、孔４1，４2，……，４n，５n，５n-1，……，５1又は孔４2n，４2n-1，４2n-2，……，４n+2，５n+2，５n+3，５n+4，……，５2n-1に流れて行く。尚、赤外線ハロゲンヒータ６がオンになるや否やの時点で、赤外線ハロゲンヒータ６からの作用により、ハニカム体２や天板７は加熱される。この為、タンクから供給された来たメタノール水溶液は、先ず、渦巻状チューブ９を流れて行く間に予熱される。そして、孔４1，４2，……，４n，５n，５n-1，……，５1又は孔４2n，４2n-1，４2n-2，……，４n+2，５n+2，５n+3，５n+4，……，５2n-1を通って行く中に、メタノール水溶液は完全にメタノール水蒸気となるように構成されている。
【００４８】
さて、ハニカム体２の孔４1，４2，……，４n，……，４2n，５1，５2，……，５n，……，５2nの内壁には触媒が設けられている。すなわち、メタノール水溶液を水素と二酸化炭素とに改質するメタノール改質反応を効率良く行わせる為の触媒が設けられている。尚、この触媒を含有する溶液中にハニカム体を浸漬・乾燥させることにより、メタノール改質反応触媒は、簡単に、孔４1，４2，……，４n，……，４2n，５1，５2，……，５n，……，５2nの内壁に付着させられる。そして、触媒としては各種のものを適宜用いることが出来る。従って、孔４1，４2，……，４n，５n，５n-1，……，５1又は孔４2n，４2n-1，４2n-2，……，４n，５n，５n，５n+1，……，５2nを通り抜けて行く中に、メタノール水溶液は気化するだけでなく、触媒の作用によって、効率良くメタノール改質反応が進み、水素が生成する。
【００４９】
ところで、ハニカム体２の空洞部３の内壁面（最内壁２ｂ）には、水素分離用触媒、例えばＰｄ系合金膜が設けられている。従って、孔４1，４2，……，４n，５n，５n-1，……，５1，４2n，４2n-1，４2n-2，……，４n，５n，５n，５n+1，……，５2nを通り抜けて行く中に触媒の作用によって改質反応が進んで生成した水素ガスは、空洞部３の内壁面（最内壁２ｂ）を通り抜けて、空洞部３側に移行する。すなわち、水素が効率良く取り出される。そして、空洞部３に水素ガス取出口を設けておけば、ここより水素ガスを水素生成装置Ａから取り出せる。尚、図示していないが、ハニカム体にはＣＯ2排出口が設けられている。
【００５０】
そして、この取り出された水素ガスは燃料電池に供給される。尚、水素生成装置Ａと燃料電池との関係は、例えば上記した非特許文献などにも示されている通りであって、従来からも良く知られているので、詳細な説明は省略する。
【００５１】
ここで、上記の如く、水素生成装置Ａが、２６ｍｍφで高さは５５ｍｍ程度に過ぎないのに、効率良く水素が提供される大きな理由の一つは、ハニカム体を用いているからである。すなわち、ハニカム体２（一つの孔４k）の長さをＬｃｍとした場合、孔４1，４2nから流れ込んで来て孔５1，５2n-1から空洞部３に流れ出て行くまでの孔の長さは、合計すると、略、２ｎ×Ｌｃｍとなる。つまり、一本の孔を流れて行く場合に換算すると、水素生成装置Ａは略２ｎ×Ｌｃｍの高さが必要となるが、本発明の如くにすれば、略１／２ｎの小さなものに出来る。そこまで小型化であると言わなくとも、大きさが大幅に小さく出来ることは容易に理解できる。
【００５２】
そして、上記実施形態のもので、メタノール水溶液より取り出された水素ガスを用いた燃料電池の発電能力は、２５０ｗ程度も有り、例えば車イス用の駆動源として十分に利用できるものである。
【図面の簡単な説明】
【００５３】
【図１】本発明になる水素生成装置Ａの要部の概略図
【図２】水素生成装置Ａのハニカム体の概略平面図
【図３】水素生成装置Ａのハニカム体の仕切壁の概略側面図
【図４】水素生成装置Ａのハニカム体の仕切壁の概略側面図
【図５】水素生成装置Ａのハニカム体の中間内壁の概略側面図
【符号の説明】
【００５４】
Ａ                                水素生成装置
１                                ハウジング
１ａ                              略円筒状部
１ｂ                              上略ドーム状部
１ｃ                              下略ドーム状部
２                                ハニカム体
２ａ                              外壁
２ｂ                              最内壁
２ｃ                              中間内壁
２ｄ                              仕切壁
３                                空洞部
４1，４2，……，４n，……，４2n    孔
５1，５2，……，５n，……，５2n    孔
６                                赤外線ハロゲンヒータ
７                                天板
８                                地板
９                                渦巻状チューブ
代  理  人  宇      高      克      己
【図１】
2006219334.tif 000003
【図２】
2006219334.tif 000004
【図３】
2006219334.tif 000005
【図４】
2006219334.tif 000006
【図５】
2006219334.tif 000007